(57)【要約】【課題】座高の高さおよび車種ごとに異なるシートベルトの取り付け位置に応じて肩ベルトの案内を調整できる自動車用子供座席を提供する。【解決手段】自動車用子供座席１は底部２と背もたれ部３とを備え、背もたれ部３の上面部分７から側壁部４の上面部分の傾斜面にかけて、シートベルトの肩ベルト部を案内するためのベルト案内路９，１０，１１を設け、その上を布帯１２が着脱自在に設けられ、利用者の身体の大きさに応じてシートベルトをいずれかのベルト案内路に通し、側壁部４の下部に設けられている補強金具６を介して装着する。【選択図】　　　　図１
2004098954.tif 000002
【特許請求の範囲】
【請求項１】
底部と背もたれ部とを備え、自動車に備え付けのシートベルトを利用して着座した子供の身体を拘束する自動車用子供座席において、
前記背もたれ部の上面部分に、前記シートベルトの肩ベルト部を案内するためのベルト案内路を複数個設けたことを特徴とする、自動車用子供座席。
【請求項２】
前記背もたれ部の上面部分には、前記複数個のベルト案内路を形成する帯状部材が取付けられていることを特徴とする、請求項１に記載の自動車用子供座席。
【請求項３】
前記帯状部材は、その一端が前記背もたれ部の上面部分に縫い付けられた布帯であり、
前記布帯は前記複数個のベルト案内路を形成するために、長さ方向に離隔した複数の箇所で固着手段を介して前記背もたれ部の上面部分に着脱可能に接続されていることを特徴とする、請求項２に記載の自動車用子供座席。
【請求項４】
前記背もたれ部は、その両側縁部から前方に向って張り出した側壁部を含み、
前記ベルト案内路の少なくとも一部は、前記側壁部の上面部分に位置していることを特徴とする、請求項１ないし３のいずれかに記載の自動車用子供座席。
【請求項５】
前記側壁部の上面部分は、前下がりの傾斜面となっており、
前記前下がりの傾斜面に沿って前記複数個のベルト案内路が形成されていることを特徴とする、請求項４に記載の自動車用子供座席。
【請求項６】
前記側壁部の下方部分に、前記シートベルトの腰ベルト部を案内するための案内凹部が設けられていることを特徴とする、請求項４または５に記載の自動車用子供座席。
【発明の詳細な説明】
【０００１】
【発明の属する技術分野】
この発明は自動車用子供座席に関し、特に、底部と背もたれ部とを備え、自動車に備え付けのシートベルトを利用して着座した子供の身体を拘束する自動車用子供座席に関する。
【０００２】
【従来の技術】
最近では、自動車に関する安全性の向上に対する意識が高まりつつあり、特に、年少者（新生児，乳児，幼児，学童）を自動車に乗せる場合に安全性を確保するための装置として自動車用子供座席が開発されている。
【０００３】
自動車用子供座席の一例として、座高の低い年少者が肩ベルトを含むタイプのシートベルトを装着したときに、肩ベルトが顔にかからないように座面を高くすることを目的とするものがある。このような自動車用子供座席は、たとえば特開２００１−１８６９６号公報に記載されており、年少者を下側から支えるベース部を含み、自動車に備え付けのシートベルトに含まれる腰ベルトを用いて、自動車の座席に固定される。一方、肩ベルトは年少者に対して斜め上方から掛かり、スリットを介して自動車用子供座席の側壁に設けられた肩ベルト係合部に係合される。
【０００４】
【特許文献】
特開２００１−１８６９６号公報（図１、図２、段落番号００２７、００２８）
【０００５】
【発明が解決しようとする課題】
一方、自動車用子供座席には、べース部のみならず背もたれ部を有するものもあり、このような自動車用子供座席には背もたれ部の側壁部にシートベルトを案内するための案内部が設けられている。そして、肩ベルトはこの案内部を介して年少者に対して斜め上方から掛けられる。
【０００６】
ところが、上記自動車用子供座席を利用する年少者には個人差によって座高など体の大きさにばらつきがあり、また車種によって肩ベルトの取付け高さにばらつきがあり、取り付け高さを調整できるものもあれば固定にされたものもある。このため、肩ベルトの高さが固定されているときには、年少者の首を圧迫するおそれを生じる場合がある。そこで、自動車用子供座席においては、肩ベルトの案内部を側壁で上下方向に調節できるように工夫されたものがある。しかしながら、子供の成長により座高が高くなるばかりでなく肩幅も広くなってくるので、肩ベルトを上下方向で調節するだけでは、不十分であり、適切に装着できず、首を圧迫したり、自動車の衝突事故時に年少者の身体を適切に拘束できないことがある。
【０００７】
それゆえに、この発明の主たる目的は、座高の高さおよび車種ごとに異なるシートベルトの取り付け位置に応じて肩ベルトの案内を調整できる自動車用子供座席を提供することである。
【０００８】
【課題を解決するための手段】
この発明は、底部と背もたれ部とを備え、自動車に備え付けのシートベルトを利用して着座した子供の身体を拘束する自動車用子供座席において、背もたれ部の上面部分に、シートベルトの肩ベルト部を案内するためのベルト案内路を複数個設けたことを特徴とする。
【０００９】
これにより、座高の高さおよび車種ごとに異なるシートベルトの取り付け位置に応じて、最適なベルト案内路を選択できるので年少者の身体を適切に自動車用子供座席に拘束できる。
【００１０】
また、背もたれ部の上面部分には、複数個のベルト案内路を形成する帯状部材が取付けられていることを特徴とする。
【００１１】
帯状部材は、その一端が背もたれ部の上面部分に縫い付けられた布帯であり、布帯は複数個のベルト案内路を形成するために、長さ方向に離隔した複数の箇所で固着手段を介して背もたれ部の上面部分に着脱可能に接続されていることを特徴とする。
【００１２】
背もたれ部は、その両側縁部から前方に向って張り出した側壁部を含み、ベルト案内路の少なくとも一部は、側壁部の上面部分に位置していることを特徴とする。
【００１３】
側壁部の上面部分は、前下がりの傾斜面となっており、前下がりの傾斜面に沿って複数個のベルト案内路が形成されていることを特徴とする。
【００１４】
側壁部の下方部分には、シートベルトの腰ベルト部を案内するための案内凹部が設けられていることを特徴とする。
【００１５】
【発明の実施の形態】
図１はこの発明の一実施形態における自動車用子供座席の外観斜視図である。図１において、自動車用子供座席１は底部２と、底部２の後方端から立上がる背もたれ部３とを有しており、背もたれ部３の左右にはそれぞれの側縁部から前方に向かって張り出した側壁部４，５が設けられている。向って右側の側壁部５の底部２側にはシートベルトを案内するための案内凹部が形成され、そこに補強金具６が取付けられている。なお、図１においては向って左上から右下に向けてシートベルトを掛ける例を示しているが、右上から左下に向けてシートベルトを掛ける場合には左側側壁部４の底部２側に設けられている案内凹部に補強金具６が取り付けられる。
【００１６】
背もたれ部３の上面には頂部から左右に立下がる傾斜面が形成されており、その傾斜面は側壁部４，５の上面部７，８に形成されている前下がりの傾斜面に連なっている。背もたれ部３の上面部の左側の傾斜面から側壁部４の上面の傾斜面にかけて、シートベルトに含まれる肩ベルトを案内するために、たとえば３つのベルト案内路９，１０，１１が長さ方向に離隔して形成されている。
【００１７】
これらのベルト案内路９，１０，１１は３つに限定されるものではなく、複数設けられればよい。このベルト案内路９，１０，１１を覆うように帯状部材としての布帯１２が着脱自在に設けられており、この布帯１２はその一端側が背もたれ部３の上面部７に縫い付けられている。背もたれ部３の上面部の右側の傾斜面から側壁部５の上面の傾斜面にかけても同様のベルト案内路が設けられており、その上に布帯１３が着脱自在に設けられている。
【００１８】
ベルト案内路９，１０，１１は図３に示すように、固着手段としての止めボタン凹部２１，２２，２３，２４が長さ方向に離隔した３箇所に設けられることによって仕切られている。これらの止めボタン凹部２１，２２，２３，２４に対応して布帯１２の内面側には止めボタン凸部３１，３２，３３，３４が設けられている。そして、図２に示すように布帯１２の止めボタン凸部３１，３２，３３，３４を止めボタン凹部２１，２２，２３，２４に嵌め込むことにより、着脱自在になっており、肩ベルト１４がベルト案内路９，１０，１１からずれないようにされている。固着手段としては、止めボタン凹部２１，２２，２３および止めボタン凸部３１，３２，３３に限らずその他の手段を用いてもよい。
【００１９】
図４および図５はこの発明の一実施形態の自動車用子供座席に年少者が着座した状態を示す図である。この実施形態の自動車用子供座席１は自動車座席（図示せず）の上側に載置され、利用者が底部２上に着座し、自動車に備え付けのシートベルトの一部である肩ベルト１４をベルト案内路９，１０，１１のいずれかに通した後、利用者の上から張られ、腰ベルト１５は利用者の腰の上に張られる。腰ベルト１５の先端に取付けられているタングプレート（図示せず）を案内凹部に設けられている補強金具６を介してバックル（図示せず）に接続することでシートベルトの装着が完了し、自動車用子供座席１および利用者は自動車座席に対して同時に固定される。
【００２０】
図４に示すように利用者が幼児４１の場合は、座高が低いため肩ベルト１４は先端側のベルト案内路９に通され、その上に布帯１２を被せて止めボタン凸部３１〜３４を止めボタン凹部２１〜２４に嵌め込む。これにより肩ベルト１４が幼児４１の首を圧迫するのを防止でき、幼児４１の身体を適切に自動車用子供座席１に拘束できる。
【００２１】
図５に示すように利用者が学童４２の場合には、幼児４１に比べて座高が高いため、肩ベルト１４は中央のベルト案内路１０に通される。これにより肩ベルト１４が学童４２の首を圧迫するのを防止でき、学童４２の身体を適切に自動車用子供座席１に拘束できる。学童４２の座高がさらに高い場合には肩ベルト１４を首に近い側のベルト案内路１１に通すようにすればよい。
【００２２】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。図示した実施形態では３つのベルト案内路９，１０，１１を止めボタン凹部２１〜２４で仕切り、その上から布帯１２で覆うようにしたが、これに限ることなく、たとえばベルト案内路として肩ベルト１４を通すことの可能な複数の凹部を背もたれ部３の上面および側壁部４の上面に形成するようにしてもよい。
【００２３】
【発明の効果】
以上のように、この発明によれば、底部と背もたれ部とを備え、自動車に備え付けのシートベルトを利用して着座した子供の身体を拘束する自動車用子供座席において、背もたれ部の上面部分に、シートベルトの肩ベルト部を案内するためのベルト案内路を複数個設けたので、年少者が幼児であるかあるいは学童のように座高の高さが異なっても、また車種によってシートベルトの取り付け高さ位置が異なっても、それぞれに応じてベルト案内路を選択できるので、年少者の身体を自動車用子供座席に適切に拘束でき、不必要に首を圧迫したりするおそれを解消できる。
【図面の簡単な説明】
【図１】この発明の一実施形態における自動車用子供座席の外観斜視図である。
【図２】ベルト案内路に肩ベルトを通して布帯を装着した状態を示す部分拡大図である。
【図３】ベルト案内路上の布帯を開いた状態を示す部分拡大図である。
【図４】この発明の一実施形態の自動車用子供座席に幼児が着座した状態を示す正面図である。
【図５】この発明の一実施形態の自動車用子供座席に学童が着座した状態を示す正面図である。
【符号の説明】
１　自動車用子供座席、２　底部、３　背もたれ部、４，５　側壁部、６　補強金具、７，８　上面部、９，１０，１１　ベルト案内路、１２，１３　布帯、１４　肩ベルト、１５　腰ベルト、２１，２２，２３　止めボタン凹部、３１，３２，３３，３４　止めボタン凸部、４１　幼児、４２　学童。
【図１】
2004098954.tif 000003
【図２】
2004098954.tif 000004
【図３】
2004098954.tif 000005
【図４】
2004098954.tif 000006
【図５】
2004098954.tif 000007